(57)【特許請求の範囲】
【請求項１】
非同期転送モード（ATM）方式の通信網に伝送される、可変ビットレートを有する映像信号のビットストリームに帯域幅を割当てる帯域幅割当方法であって、
前記映像信号を符号化して、前記ビットストリームの符号化映像信号を発生する第a段階と、
ｉが１〜Ｎまでの所定単位のインデックスであり、Ｎが１より大きい正の整数であるとき、前記ビットストリームにおける予め定められたｉ番目の単位当りビット量を表すビット関数B（ｉ）を発生する第ｂ段階と、
jが１からMまでの正の整数であり、Mが１より大きい正の整数であるとき、前記ビット関数B（ｉ）に対して上位包絡線関数Ｕj（ｉ）および下位包絡線関数Ｌj（ｉ）を反復的に計算して多数の結果値からＵj（ｉ）とＬj（ｉ）との間の面積を計算することで、各フラクタル表面積Ａjを反復的に計算する第c段階と、
反復的に計算された多数の前記各フラクタル表面積Ａj間の平均値を算出して、前記平均値によって生成される漸近線の勾配を用いて、中間パラメータIを決定する第d段階と、
前記中間パラメータIとハースト・パラメータHとの間の予め設定された関係式を用いて前記ハースト・パラメータＨを推定する第e段階と、
前記ハースト・パラメータHに基づいて、前記ビットストリームに帯域幅を割当てる第f段階と、
前記割当てられた帯域幅に基づいて、前記ビットストリームを伝送する第g段階とを含むことを特徴とする帯域幅割当方法。
【請求項２】
前記第c段階が、
αが前記ビット関数B（ｉ）の関数値の平均の約10％程度の値を有する所定の定数であり、U0（ｉ）＝L0（ｉ）＝Ｂ（ｉ）であり、U0（０）＝L0（０）＝０であるとき、前記上位包絡線関数Ｕj（ｉ）および前記下位包絡線関数Ｌj（ｉ）に関する下記式
Uj（ｉ）＝max［Uj-1（ｉ−1），Uj-1（ｉ）＋α，Ｕj-1（ｉ＋1）］
Ｌj（ｉ）＝min［Lj-1（ｉ−1），Lj-1（ｉ）−α，Lj+1（ｉ＋1）］
を用いて上位包絡線関数Uj及び下位包絡線関数Ljを反復的に計算する第c1段階と、
Lj（ｉ）とUj（ｉ）との間の面積を求めて、フラクタル表面積Ajを反復的に計算する段階とを有することを特徴とする請求項1に記載の帯域幅割当方法。
【請求項３】
前記第ｄ段階において、前記中間パラメータIを決定するのに前記漸近線の勾配は下記式
（Ａj−Ａj-1）／２＝Ｆ・ｊ2-I
および式に関するグラフを用いて決定されることを特徴とする請求項２に記載の帯域幅割当方法。
【請求項４】
前記第d段階が、
前記式（Ａj−Ａj-1）／２＝Ｆ・ｊ2-Iの両辺に対数関数を取って、下記式
［log（Ａj−Ａj-1）／２］＝log（Ｆ）＋（２−I）・log（ｊ）
を発生する第ｄ１段階と、
前記計算されたフラクタル表面積Ajに基づいて、発生した前記式［log（Ａj−Ａj-1）／２］＝log（Ｆ）＋（２−I）・log（ｊ）の左辺の値を点で表す第d2段階と、
前記第d2段階の各点の漸近線を決定する第d3段階と、
前記漸近線の勾配を求める第d4段階と、
前記漸近線の勾配を用いて、前記中間パラメータIを決定する第d5段階とを含むことを特徴とする請求項3に記載の帯域幅割当方法。
【請求項５】
ρが所定の定数であるとき、前記ハースト・パラメータHが下記式
H＝ρ＋１−I
によって求められることを特徴とする請求項3に記載の帯域幅割当方法。
【請求項６】
前記第g段階が、
前記ビットストリームを格納する第g1段階と、
前記第ｆ段階にて割当てられた前記帯域幅に基づいて、前記格納されたビットストリームを前記ATM通信網に供給する第g2段階とを含むことを特徴とする請求項3に記載の帯域幅割当方法。
【請求項７】
前記第b段階の前記所定単位が、前記ビットストリームでのIピクチャーであることを特徴とする請求項６に記載の帯域幅割当方法。
【請求項８】
非同期転送モード（ATM）方式の通信網に伝送される、可変ビットレートを有する映像信号のビットストリームに帯域幅を割当てる帯域幅割当装置であって、
前記映像信号を符号化して、前記ビットストリームの符号化映像信号を発生する符号化手段と、
ｉが１〜Ｎまでの所定単位のインデックスであり、Ｎが１より大きい正の整数であるとき、前記ビットストリームにおける予め定められたｉ番目の単位当りビット量を表す、前記ビットストリームのビット関数B（ｉ）を発生するビット関数発生手段と、
jが１からMまでの正の整数であり、Mが１より大きい正の整数であるとき、前記ビット関数B（ｉ）に対して上位包絡線関数Ｕj（ｉ）および下位包絡線関数Ｌj（ｉ）を反復的に計算して多数の結果値からＵj（ｉ）とＬj（ｉ）との間の面積を計算することで、各フラクタル表面積Ａjを反復的に計算するフラクタル表面積計算手段と、
反復的に計算された多数の前記各フラクタル表面積Ａj間の平均値を算出して、前記平均値によって生成される漸近線の勾配を用いて、中間パラメータIを決定する中間パラメータ決定手段と、
前記中間パラメータIとハースト・パラメータHとの間の予め設定された関係式を用いて前記ハースト・パラメータＨを推定するハースト・パラメータ計算手段と、
前記ハースト・パラメータHに基づいて、前記ビットストリームに帯域幅を割当てる帯域幅割当手段と、
前記ビットストリームを格納する格納手段と、
ビットストリームを伝送する伝送手段とを含むことを特徴とする帯域幅割当装置。
【請求項９】
前記第c段階が、
αが前記ビット関数B（ｉ）の関数値の平均の約10％程度の値を有する所定の定数であり、U0（ｉ）＝L0（ｉ）＝B（ｉ）であり、U0（０）＝L0（０）＝０であるとき、前記上位包絡線関数Ｕｊ（ｉ）および前記下位包絡線関数Ｌｊ（ｉ）に関する下記式
Uj（ｉ）＝max［Uj-1（ｉ−1），Uj-1（ｉ）＋α，Ｕj-1（ｉ＋1）］
Ｌj（ｉ）＝min［Lj-1（ｉ−1），Lj-1（ｉ）−α，Lj+1（ｉ＋1）］
を用いて上位包絡線関数Uj及び下位包絡線関数Ljを反復的に計算する第1計算手段と、
Lj（ｉ）とUj（ｉ）との間の面積を求めて、フラクタル表面積Ajを反復的に計算する第2計算手段とを有することを特徴とする請求項８に記載の帯域幅割当装置。
【請求項１０】
前記中間パラメータ決定手段は、前記中間パラメータIを決定するのに前記漸近線の勾配は下記式
（Ａj−Ａj-1）／２＝Ｆ・ｊ2-I
および式に関するグラフを用いることを特徴とする請求項９に記載の帯域幅割当方法。
【請求項１１】
前記中間パラメータ決定手段が、
前記式（Ａj−Ａj-1）／２＝Ｆ・ｊ2-Iの両辺に対数関数を取って、下記式
［log（Ａj−Ａj-1）／２］＝log（Ｆ）＋（２−I）・log（ｊ）
を発生する対数化手段と、
前記計算されたフラクタル表面積Ajに基づいて、発生した前記式［log（Ａj−Ａj-1）／２］＝log（Ｆ）＋（２−I）・log（ｊ）の左辺の値を点で表す手段と、
前記第d2段階の各点の漸近線を決定する漸近線決定手段と、
前記漸近線の勾配を求める漸近線勾配決定手段と、
前記漸近線の勾配を用いて、前記中間パラメータIを決定する手段とを含むことを特徴とする請求項１０に記載の帯域幅割当装置。
【請求項１２】
ρが所定の定数であるとき、前記ハースト・パラメータHが下記式
H＝ρ＋１−I
によって求められることを特徴とする請求項１１に記載の帯域幅割当装置。
【請求項１３】
前記ビット関数の前記所定単位が、前記ビットストリームでのIピクチャーであることを特徴とする請求項１２に記載の帯域幅割当装置。
【発明の詳細な説明】
技術分野
本発明は、可変ビットレートを有する映像信号の帯域幅を割当てる方法及びその装置に関し、特に、フラクタル表面積に基づいて映像信号の帯域幅を決定する方法及びその装置に関する。
背景技術
最近、可変ビットレート（VBR）を有する実際の映像トラフィック測定のため多量のデータセットが利用可能となることに伴って、シーン（scene）やコーデックに依存しないようなVBR映像トラフィックの固有特性が、高速通信網のためのトラフィック・エンジニアリングにおける主な関心事の１つになっている。VBR映像トラフィックの固有特徴を利用することによって、シーン及び／またはコーデックに密接な関連のあるモデルから離れてVBR映像トラフィックをより一般的に説明できるようになった。
電子会議、テレビ電話、自然動画放送及びスタジオ品質の映像のような用途からのVBRビデオ映像の伝送が、通信網の主なトラフィック構成要素となることが予想される。このような通信網が、VBRサービスに必要な厳密な動作基準を満たし、且つマルチメディア通信を効率よく提供するために、非同期転送モード（ATM）方式が提案されてきた。
このATM方式では、VBR映像トラフィックには帯域幅がVBR映像トラフィックを特徴づける固有の特性に基づいて割当てられる。固有特性のうちの１つとして、VBR映像トラフィックの特性を表すハースト・パラメータがある（例えば、J.Beranらの“Long−Range Dependence in Variable−Bit−Rate Video Traffic”、IEEE Trans.on Commun., Vol.43、No. 2/3/4、pp. 1566−1579,1995参照）。このハースト・パラメータは、再縮小され調整された範囲（リスケールドアジャステッドレンジ）統計値、即ち、R/S統計値によって計算される。
Nが正の整数であり、ｋが１からNまでの正の整数であり、Xkがk番目フレームの映像信号に対する符号化ビット数を表すとき、N個のフレームを有する映像データの観測値またはシーケンスがXkであると仮定すると、そのシーケンスXkのサンプル平均Xm（N）及びサンプル分散S2（N）、即ち、シーケンスXkのR/S統計値は下記の通り定義される。
R（N）／S（N）＝［max（0，W1，W2，…，WN）
−min（0，W1，W2，…，WN）］／S      式（1）
ここで、Wk＝（X1＋X2＋，…，Xk）−ｋ・Xm（N）である。
そして、R（N）／S（N）の期待値は下記のように与えられる。
0004132090.tif 000002
ここで、Cは定数であり、Hはハースト・パラメータである。このハースト・パラメータは、式（1）及び式（2）を用いて計算する。
実際に、R/S分析は発見的グラフィック方法に基づく。正式に、kがNより小さい正の整数であるとき、N個の観測値Xkのサンプルが与えられると、全サンプルはK個の非重畳ブロックに細分化され、新しい各開始点に対して再縮小され調整された範囲R（ti,d）/S（ti,d）が計算される。このとき、新しい各開始点はt1=１、t2=（N/K）+1、t3=（2N/K）+1、…、tk=｛（K−１）・N/K｝+1であり、（tk−1）＋ｄ≦Nを満足する。ここで、R（ti,d）は、式（1）中のWkをWti+k−Wtiで置き換えたものと定義され、S2（ti,d）はXti+1，Xti+2，…，Xti+dのサンプル分散である。従って、所定の値dに対して、dが小さい場合はK個のR/Sサンプルが得られるが、dが全サンプルの大きさNに近くなると１つのサンプルが得られる。
その後、約10から始めて値dが対数を取られる。Log（d）に対するlog｛R（ti,d）/S（ti,d）｝値をプロットすることにより、再縮小され調整された範囲のプロットが得られる。ハースト・パラメータHが定義されると、典型的な再縮小され調整された範囲のプロットは、サンプルにおいて短距離で変動する過渡領域から始まるが、結果的には安定して直線の勾配Hに沿って変動することになる。グラフィックR/S分析を用いて、そのような漸近的挙動がそのデータにより裏付けられるか否かを決定し、データが裏付ける場合には、ハースト指数Hの漸近値は普通単に最小二乗法にて推定される。ここで、ハースト指数Hの値は直線の勾配値に漸近的に接近する。
しかる後、VBR映像トラフィックは相応する経験的ハースト・パラメータの値に基づいて、低・中・高のアクティビティという大略３つの範疇に分類される。ハーストパラメータが0.5≦H≦0.75とすると、VBR映像トラフィックは低アクティビティに該当し、0.75＜H＜0.9とすると、VBR映像トラフィックは中アクティビティに該当し、ハースト・パラメータが1に近づけられると、VBR映像トラフィックは高アクティビティに該当する。このような分類方法によって、VBR映像トラフィックは対応する帯域幅に割当てられ、割当てられた帯域幅を通じてATMネットワークに伝送される。
前述した従来のR／S分析技法では、ハースト・パラメータはサンプル平均値及びサンプル分散値を用いて計算される。さらに、乗除計算のために長い計算時間がかかることになる。従って、より簡単な計算手法を開発してハースト・パラメータを計算する必要がある。
発明の開示
従って、本発明の主な目的は、フラクタル表面積を用いて、可変ビットレートを有する映像信号のハースト・パラメータを決定する効率的なハースト・パラメータ決定方法及びその装置を提供することにある。本発明の一実施例によれば、非同期転送モード（ATM）方式の通信網に伝送される、可変ビットレートを有する映像信号のビットストリームに帯域幅を割当てる帯域幅割当方法であって、前記映像信号を符号化して、前記ビットストリームの符号化映像信号を発生する第a段階と、ｉが１〜Ｎまでの所定単位のインデックスであり、Ｎが１より大きい正の整数であるとき、前記ビットストリームにおける予め定められたｉ番目の単位当りビット量を表すビット関数B（ｉ）を発生する第ｂ段階と、jが１からMまでの正の整数であり、Mが１より大きい正の整数であるとき、前記ビット関数B（ｉ）に基づいて、各フラクタル表面積Ａjを反復的に計算する第c段階と、前記各フラクタル表面積Ａjを用いて、中間パラメータIを決定する第d段階と、前記中間パラメータIに基づいて、ハースト・パラメータHを計算する第e段階と、前記ハースト・パラメータHに基づいて、前記ビットストリームに帯域幅を割当てる第f段階と、前記割当てられた帯域幅に基づいて、前記ビットストリームを伝送する第g段階とを含むことを特徴とする帯域幅割当方法が提供される。
本発明の他の実施例によれば、非同期転送モード（ATM）方式の通信網に伝送される、可変ビットレートを有する映像信号のビットストリームに帯域幅を割当てる帯域幅割当装置であって、前記映像信号を符号化して、前記ビットストリームの符号化映像信号を発生する符号化手段と、ｉが１〜Ｎまでの所定単位のインデックスであり、Ｎが１より大きい正の整数であるとき、前記ビットストリームにおける予め定められたｉ番目の単位当りビット量を表す、前記ビットストリームのビット関数B（ｉ）を発生するビット関数発生手段と、jが１からMまでの正の整数であり、Mが１より大きい正の整数であるとき、前記ビット関数B（ｉ）に基づいて各フラクタル表面積Ａjを反復的に計算するフラクタル表面積計算手段と、前記各フラクタル表面積Ａjを用いて、中間パラメータIを決定する中間パラメータ決定手段と、前記中間パラメータIに基づいて、ハースト・パラメータHを計算するハースト・パラメータ計算手段と、前記ハースト・パラメータHに基づいて、前記ビットストリームに帯域幅を割当てる帯域幅割当手段と、前記ビットストリームを格納する格納手段と、ビットストリームを伝送する伝送手段とを含むことを特徴とする帯域幅割当装置が提供される。
【図面の簡単な説明】
上記した本発明の目的及びその他の目的、特徴については、添付図面と共に次の好適実施例を参照することにより明らかとなろう。
図１は、本発明の好適実施例による可変ビットレートを有する映像信号の帯域幅を割当てる装置を示すブロック図である。
図２は、映像信号でｉ番目のフレームのビット数を表すビット関数B（ｉ）を示すグラフである。
図3及び図４は、ビット関数B（ｉ）に基づいて計算された映像信号のフラクタル表面積を示したグラフであり。
図５は、log｛（Aj−Aj-1）/2｝を縦軸にlog（j）を横軸にプロットし、漸近線を示した対数グラフである。
発明の実施の形態
図１を参照すると、本発明の好適実施例によって可変ビットレートを有する映像信号の帯域幅を割当てる装置100が示されている。映像信号は、例えば、MPEG−IIという技法を用いて符号化器110により圧縮され符号化される。この符号化器110から、映像信号の符号化データを有するビットストリームはビット関数発生部120及びメモリ130に各々供給される。
ビット関数発生部120は、所定単位（例えば、フレームまたはマクロブロック）毎に符号化ビットの数を検出し、それによって該ビットストリームのビット関数B（ｉ）を発生する。ここで、ｉは１からＭまでの所定単位のインデックスであり、Ｍは１より大きい正の整数であり、ビット関数B（ｉ）はｉ番目の単位の符号化ビットの数を表す。本発明の好適実施例によれば、所定単位はビットストリームのＩピクチャーである。
通常、ビットストリームはＩ、Ｐ及びＢピクチャーを含む。Ｉピクチャーは、他のピクチャーを全く参照せずに符号化されるイントラ符号化ピクチャーであり、Ｐピクチャーは以前ＩまたはＰピクチャーからの動き補償により符号化される予測符号化ピクチャーであり、Ｂピクチャーは前後のＩまたはＰピクチャーから動き補償をにより符号化される両方向予測符号化ピクチャーである。Ｉピクチャーのビット量はビットストリーム内で他のピクチャーに比べて支配的であるので、Ｉピクチャーに基づいて決定されたハースト・パラメータは、全体ビットストリームの特性の測定値になり得る。Ｉピクチャーのみを考慮することによって、計算の複雑さをさらに少なくすることができる。
図2を参照すると、ビットストリーム内におけるｉ番目のＩピクチャー対ビット関数B（ｉ）が示されており、便宜上、ビット関数B（ｉ）の単位は省略した。ビット関数発生部120は、ビット関数B（ｉ）をフラクタル表面積計算部140に供給する。
フラクタル表面積計算部140は、上位包絡線関数Uj（ｉ）及び下位包絡線関数Lj（ｉ）を反復的に計算する。ここで、Uj（ｉ）及びLj（ｉ）は、関数B（ｉ）に対するj番目の上位及び下位包絡線関数を表し、jは１からNまでの正の整数であり、Ｎは１より大きい整数である。
上下位両包絡線関数は下記のように計算される。
Uj（ｉ）＝max［Uj-1（ｉ−1），Uj-1（ｉ）＋α，Ｕj-1（ｉ＋1）          式（3）
Ｌj（ｉ）＝min［Lj-1（ｉ−1），Lj-1（ｉ）−α，Lj-1（ｉ＋1）          式（4）
ここで、U0（ｉ）＝L0（ｉ）＝B（ｉ），Uj（０）＝Lj（０）＝０であり、αはビット関数B（ｉ）の平均値の約10％程度の値を有する予め定められた定数である。
図2の如く、ｉ番目のＩピクチャーに対するビット関数B（ｉ）（ｉ＝１〜６）の値は各々、3，1，4，2，4、及び１（任意の単位）であり、αの値は２と仮定する。これにより、第1上位包絡線関数U1（ｉ）は下記のように求められる。
U1（１）＝max［U0（０），U0（１）＋２，U0（２）］＝max［0，5，1］＝５
U1（２）＝max［U0（１），U0（２）＋２，U0（３）］＝max［3，3，4］＝４
U1（３）＝max［U0（２），U0（３）＋２，U0（４）］＝max［1，6，2］＝６
U1（４）＝max［U0（３），U0（４）＋２，U0（５）］＝max［4，4，4］＝４
U1（５）＝max［U0（４），U0（５）＋２，U0（６）］＝max［2，6，1］＝６
そして、第1下位包絡線関数L1（ｉ）は下記のように求められる。
Ｌ1（１）＝min［L0（０），L0（１）−２，L0（２）＝min［0，1，1］＝０
Ｌ1（２）＝min［L0（１），L0（２）−２，L0（３）］＝min［3、−1，4］＝−１
Ｌ1（３）＝min［L0（２），L0（３）−２，L0（４）］＝min［1，2，2］＝１
Ｌ1（４）＝min［L0（３），L0（４）−２，L0（５）］＝min［4，0，4］＝０
Ｌ1（５）＝min［L0（４），L0（５）−２，L0（６）］＝min［2，2，1］＝１
第１上位包絡線関数U1（ｉ）及び第1下位包絡線関数L1（ｉ）は図3に示されている。
第1上位包絡線関数U1（ｉ）に基づいて、第2上位包絡線関数U2（ｉ）は次のように計算される。
U2（１）＝max［U1（０），U1（１）＋２，U1（２）］＝max［0，7，4］＝７
U2（２）＝max［U1（１），U1（２）＋２，U1（３）］＝max［5，6，6］＝６
U2（３）＝max［U1（２），U1（３）＋２，U1（４）］＝max［4，8，4］＝８
U2（４）＝max［U1（３），U1（４）＋２，U1（５）］＝max［6，6，6］＝６
第1上位包絡線関数U1（ｉ）に基づいて、第2下位包絡線関数L2（ｉ）は下記のように計算される。
Ｌ2（１）＝min［L1（０），L1（１）−２，L1（２）］＝min［0，−2，−1］＝−２
L2（２）＝min［L1（１），L1（２）−２，L1（３）］＝min［0，−3，1］＝−３
Ｌ2（３）＝min［L1（２），L1（3）−２，L1（４）］＝min［−1，−1，0］＝−１
Ｌ2（４）＝min［L1（３），L1（４）−２，L1（５）］＝min［1，−2，１］＝−2
第２上位包絡線関数U2（ｉ）及び第２下位包絡線関数L2（ｉ）は図４に示されている。
このようにして、Ｎ回計算を反復すると、Ｎ個の上位包絡線関数（即ち、U1（ｉ）〜UN（ｉ））及びＮ個の下位包絡線関数（即ち、Ｌ1（ｉ）〜ＬN（ｉ））が計算される。
その後、フラクタル表面積計算部140は、U1（ｉ）〜ＵN（ｉ）及びＬ1（ｉ）〜ＬN（ｉ）に基づいてフラクタル表面積Ａjを計算する。Ｊ番目のフラクタル表面積Ａjは、Σ｛I＝１、M｝Q（I）＝Q（１）＋Q２＋‥＋Q（M）と表すものとすると、下記のように与えられる。
Ａj＝Σ｛ｉ=1，M｝［Uj（ｉ）−Ｌj（ｉ）  式（５）
図３中でU1とＬ1との間に斜線で引かれている面積がＡ1であり、図４中でU2とＬ2との間に斜線で引かれている面積がＡ2である。フラクタル表面積Ａjはｊ値が増加することによって１つの値に集束する。ｊ値は計算の複雑性及び集束値を考慮して適切に設定される。計算済みのフラクタル表面積Ａ1〜ＡMは、フラクタル表面積計算部140から中間パラメータ計算部150へ供給される。
中間パラメータ計算部150は、フラクタル表面積計算部140からのフラクタル表面積Ａ1〜ＡMに基づいて、中間パラメータIを下記式を用いて計算する。
（Ａj−Ａj-1）／２＝Ｆ・ｊ2-I  式（６）
ここで、Ａ０は０であり、Ｆは定数である。式（６）の両辺に対数関数を取ると、（２−Ｉ）はlog（j）に対するlog｛（Aj−Aj-1）/2｝を表す直線の勾配になる。図5には中間パラメータIを決定するためにグラフを用いる方法が示されている。図5において、各点はlog（j）に対するlog｛Aj−Aj-1｝/2｝に該当し、直線は点の漸近線として求められる。ここで、漸近線の勾配は（２−I）に該当する。
中間パラメータ計算部150は、計算された中間パラメータIをハーストパラメータ評価部160に供給する。ハーストパラメータ評価部160は下記式を用いてハースト・パラメータHを計算する。
H＝ρ＋１−I  式（７）
ここで、ρは予め定められた定数である。計算済みのハースト・パラメータHは帯域幅割当部170に供給される。
帯域幅割当部170は、ハースト・パラメータＨを用いて符号化器から供給されたビットストリームのトラフィック特性を分類することによって、その特性に基づいてビットストリームに帯域幅を割当てる。0.5≦H≦0.75である場合は、ビットストリームのトラフィックは低アクティビティに該当し、0.75<H<0.9である場合は、ビットストリームのトラフィックは中アクティビティに該当し、ハースト・パラメータＨが1に近い場合は、ビットストリームのトラフィックは高アクティビティに該当する。このように分類されたアクティビティによって、対応する帯域幅がビットストリームに割当てられATM網に伝送される。即ち、大きいハースト・パラメータを有するビットストリームに対しては、より広い帯域幅が割当てられる。次に、そのように決定された帯域幅は伝送部180に供給される。
一方、メモリ130に格納されたビットストリームは伝送部180に供給される。伝送部180は帯域幅割当部170にて決定された帯域幅に基づいて、ビットストリームをATM網に伝送する。
従って、本発明によれば、フラクタル表面積を用いてハースト・パラメータを簡単に決定することによって、符号化映像信号のビットストリームに帯域幅を効率的に割当てることができる。
上記において、本発明の好適な実施の形態について説明したが、本発明の請求範囲を逸脱することなく、当業者は種々の改変をなし得るであろう。
【図１】
0004132090.tif 000003
【図２】
0004132090.tif 000004
【図３】
0004132090.tif 000005
【図４】
0004132090.tif 000006
【図５】
0004132090.tif 000007